(57)【特許請求の範囲】
【請求項１】
操作レバーを含む操作レバー本体と、容器内容物が通過するＬ字状の噴出用通路部材と、当該操作レバー本体および当該噴出用通路部材が一体的に組み込まれる空間部を有して使用時には容器側に取り付けられるカバー本体と、からなる噴出釦機構において、
前記カバー本体は、前記操作レバーの操作にともない前記操作レバー本体を前後方向である第１の直線方向のみに移動させるための操作レバー本体ガイド部、および前記噴出用通路部材を上下方向である第２の直線方向のみに移動させるための噴出用通路部材ガイド部を備え、
前記操作レバー本体は、前記操作レバー本体ガイド部に案内される前後移動用被ガイド部、ならびに前記第１の直線方向の移動と前記第２の直線方向の移動との変換を行うための当接部およびこれに対するテーパ面の一方を備え、
前記噴出用通路部材は、前記噴出用通路部材ガイド部に案内される上下移動用被ガイド部、ならびに前記当接部および前記テーパ面の他方を備え、
前記操作レバーの操作時に、前記操作レバー本体が、回動せずに前記第１の直線方向に移動する、
ことを特徴とする噴出釦機構。
【請求項２】
前記カバー本体は、前記操作レバー本体ガイド部および前記噴出用通路部材ガイド部の何れの作用も呈する共通ガイド要素を備えている、
ことを特徴とする請求項１記載の噴出釦機構。
【請求項３】
前記カバー本体は、前記操作レバー本体の前記後方向への移動にともなって変形する復帰用片部を備えている、
ことを特徴とする請求項１または２記載の噴出釦機構。
【発明の詳細な説明】
【０００１】
【発明の属する技術分野】
本発明は、化粧品などの各種内容物を外部に噴射するためのポンプタイプの容器やエアゾールタイプの容器に取り付けられて使用される噴出釦機構に関し、とくに第１の直線方向（例えば略水平方向）に移動する操作レバー本体と、これに連動して第２の直線方向（例えば略垂直方向）に移動する噴出用通路部材とを設けて、利用者の操作方向と内容物の噴出方向とを一致させるようにしたものである。以下の記載では説明の便宜上エアゾール容器の噴出釦を前提にする。
【０００２】
【従来の技術】
図４は、従来のティルトタイプのエアゾール容器における噴出釦機構を示す説明図であり、50は噴出ヘッド、51は縦方向部分と横方向部分とからなる噴出用通路、52は円状溝部、53は鞘状のノズル孔部材、54はノズル孔、55は操作レバー、56は枢支板、57は枢支軸、58はカバーキャップ、59は縦長の窓部、60はそれぞれ下端側にΩ状部を形成した一対の支え板、61はエアゾール弁、62は缶容器体をそれぞれ示している。
【０００３】
ここで、噴出ヘッド50は噴出用通路51、円状溝部52、操作レバー55、枢支板56および枢支軸57などからなり、カバーキャップ58には窓部59や支え板60などが形成され、またノズル孔部材53のノズル孔54に通じる内面側には噴出用溝（図示省略）が形成されている。
【０００４】
噴出釦機構を組み立てるには、例えば、
▲１▼ノズル孔部材53を噴出ヘッド50の円状溝部52に嵌め込み、
▲２▼この噴出ヘッド50をカバーキャップ58の窓部59から内側に入れて、その枢支板56の枢支軸57を当該カバーキャップの支え板60の下端側Ω状部に係合させ、
▲３▼この噴出ヘッド50の噴出用通路51の縦方向部分とエアゾール弁56とを嵌合させるとともに、当該カバーキャップ58の下端側突部を缶容器体62の開孔縁部に係合させる、
ようにしている。
【０００５】
カバーキャップ58を片手で握って操作レバー55を内側に引くと、噴出ヘッド50が枢支軸57を支点として復帰用バネ（図示省略）に抗するかたちで反時計方向に回動するので、エアゾール弁61は前傾する。この前傾動作によってエアゾール弁61は下方にも移動し、その結果、当該エアゾール弁61はそれまでの閉状態から開状態となるので、缶容器体62の内容物は噴出用通路51、およびノズル孔部材53の噴出用溝を通ってノズル孔54から外部に噴出される。操作レバー55を離すと、復帰用バネの作用で噴出ヘッド50は元の位置に戻り、エアゾール弁61は閉じて噴出を停止する。
【０００６】
【発明が解決しようとする課題】
このように、従来の操作レバーを用いた噴出釦機構は、レバー操作によって噴出ヘッドを前傾させて内容物を外部へ噴出している。したがって、使用時のノズル孔の向きは非使用時のそれに比べて前傾することになるので、利用者の操作方向とは異なる方向、例えば利用者はノズル孔を水平方向に向けて操作しているのに内容物が水平方向よりも下向きに噴出されてしまうという問題点があった。
【０００７】
そこで、本発明では操作レバーの操作時に、当該操作レバー本体が第１の直線方向、例えば略水平方向へ移動するとともに、これとは別体の噴出用通路部材が第２の直線方向、例えば略垂直方向へと移動するようにして、利用者の操作方向と内容物の噴出方向とを一致させることを目的とする。
【０００８】
【課題を解決するための手段】
本発明はこれらの課題を次のようにして解決する。
（１）操作レバー（例えば後述の操作レバー１１）を含む操作レバー本体（例えば後述の操作レバー本体１０）と、容器内容物が通過するＬ字状の噴出用通路部材（例えば後述の噴出用通路部材２０）と、当該操作レバー本体および当該噴出用通路部材が一体的に組み込まれる空間部（例えば後述の空間部３７）を有して使用時には容器側に取り付けられるカバー本体（例えば後述のカバー本体３０）と、からなる噴出釦機構において、
前記カバー本体に、前記操作レバーの操作にともない前記操作レバー本体を前後方向である第１の直線方向のみに移動させるための操作レバー本体ガイド部（例えば後述の前方段部３０ａ，隙間３１，垂下部３２，前方ガイド板３３，後方ガイド板３４，上側縁部３６）、および前記噴出用通路部材を上下方向である第２の直線方向のみに移動させるための噴出用通路部材ガイド部（例えば後述の垂下部３２，前方ガイド板３３，後方ガイド板３４）を形成し、
前記操作レバー本体に、前記操作レバー本体ガイド部に案内される前後移動用被ガイド部（例えば後述の側面１３，段部１４，１５，１６，隙間部分１７ｃ，上側外周面部分１８）、ならびに前記第１の直線方向の移動と前記第２の直線方向の移動との変換を行うための当接部およびこれに対するテーパ面の一方(例えば後述の当接部１９)を形成し、
前記噴出用通路部材に、前記噴出用通路部材ガイド部に案内される上下移動用被ガイド部（例えば後述の底面部分２１）、ならびに前記当接部および前記テーパ面の他方（例えば後述のテーパ面２２）を形成し、
前記操作レバーの操作時に、前記操作レバー本体を前記第１の直線方向に移動させる。
（２）上記（１）において、前記カバー本体に、前記操作レバー本体ガイド部および前記噴出用通路部材ガイド部の何れの作用も呈する共通ガイド要素（例えば後述の垂下部３２，前方ガイド板３３，後方ガイド板３４）を形成する。
（３）上記（１），（２）において、前記カバー本体に、前記操作レバー本体の前記後方向への移動にともなって変形する復帰用片部(例えば後述の復帰用弾性片部３８)を形成する。
【０００９】
操作レバーを操作すると、操作レバー本体はカバー本体に案内されて第１の直線方向、例えば略水平方向に移動する。この操作レバー本体の第１の直線方向への移動を、操作レバー本体および噴出用通路部材のテーパ面や当接部などの作用部を介して噴出用通路部材を第２の直線方向への移動へと連動させるようにしている。
【００１０】
また、噴出用通路部材として略Ｌ字状の筒状部材を用い、この噴出用通路部材は操作レバー本体の移動に連動して前傾することなしに例えば略垂直方向に移動するようにしている。
【００１１】
また、カバー本体に噴出用通路部材を第２の直線方向へと移動するためのガイド部を形成したので、操作レバー本体の第１の直線方向への移動を確実に連動して噴出用通路部材を第２の直線方向へ移動させるようにしている。
【００１２】
さらに、カバー本体に操作レバー本体を復帰させるための復帰用片部を形成して、操作レバーの操作終了時には操作レバー本体を非使用時の位置に早く復帰させるようにしている。
【００１３】
【発明の実施の形態】
図１乃至図３を用いて、本発明の実施の形態を説明する。
図１は噴出釦機構の組み立て方を示す斜視図である。
図２及び図３は、組み立てた噴出釦機構をマウンテンキャップを介して容器に取り付けた状態を示す説明図であり、図２は操作操作レバーを引いていない状態（不使用モード）、図３は噴出釦機構の操作レバーを押した状態（使用モード）を示している。
【００１４】
これらの図において、１は噴出釦機構、10は操作レバー本体、20は噴出用通路部材、30はカバー本体を示している。操作レバー本体10とカバー本体30はいくらかの弾性を持った合成樹脂で作成され、また、操作レバー本体10、噴出用通路部材20およびカバー本体30のそれぞれは内部がいわば空洞状態となっており、これらを組み立てることによって噴出釦機構１が形成される。また、41はマウンテンキャップ、42はステムを示している。
【００１５】
操作レバー本体10において、11は操作レバー、11ａは操作レバー11の内側上部に形成した復帰動作用の凸部、12は噴出用通路部材20の噴射口側部分25を挿入するための孔部、13は側面部、14はカバー本体30の後方ガイド板34や上側縁部36などに案内される第１の段部、15はカバー本体30の前方ガイド板33や一対の垂下部32などに案内される第２の段部、16はカバー本体30の前方段部30ａや垂下部32などに案内される第３の段部、17はカバー本体30との係合状態が容易に解除されないように形成されたツメ、17ａはツメ17のテーパ部分、17ｂはツメ17の引っ掛かり部分、17ｃは第２段部15とツメ17との間の隙間部分、18は上側外周面部分、19は第２の段部の角部分を丸く形成して操作レバー11の操作時に噴出用通路部材20のテーパ面22と接するようにした当接部をそれぞれ示している。
【００１６】
噴出用通路部材20は略Ｌ字状で、21はカバー本体30の空間部37に収まる底面部、22は当接部19と当接するテーパ面、23は噴出用通路、24は噴出口、25は噴出口側部分、26はステムが嵌合する下側開口部を示している。
【００１７】
カバー本体30において、30ａは第３の段部16に対応の前方段部、31は第２の段部15や第３の段部16などの移動通路となる隙間、32は操作レバー本体10が左右方向にずれないように保持する垂下部、33は操作レバー本体10の第２の段部15および隙間部分17ｃを略水平方向に案内するとともに、噴出用通路部材20を略垂直方向に案内する前方ガイド板、34は操作レバー本体10の第１段部14を略水平方向に案内するとともに噴出用通路部材20を略垂直方向に案内する後方ガイド板、36は操作レバー本体10を後方ガイド板34とともに案内して保持する上部縁部、37は前後を前方ガイド板33と後方ガイド板34に、また左右を垂下部32に囲まれた噴出用通路部材20の底面部21が収まる空間部、38は操作レバー本体10の凸部11ａが当接する復帰用弾性片部を示している。
【００１８】
噴出釦機構１を組み立てる手順は、例えば、次のようになる。
▲１▼噴出用通路部材20の噴出口側部分25を操作レバー本体10の孔部12に操作レバー11とは反対の側から挿入する。
▲２▼噴出用通路部材20の底面部21をカバー本体の30の前方ガイド板33と後方ガイド板34とに案内させてこの間の空間部37に入れながら、操作レバー本体10の第２段部15をカバー本体30の隙間31に入れる。
▲３▼操作レバー本体10のツメ17に形成した一対のテーパ部分17ａが内側に少し変形することによりカバー本体30の隙間31を乗り越えてカバー本体30に入るまで操作レバー本体10をカバー本体30に挿入する。
【００１９】
このとき、操作レバー本体10の第１の段部14はカバー本体30の後方ガイド板34に、第２の段部15は前方ガイド板33に、第３の段部16は前方段部30ａに、また上側外周面部分18は上側縁部36にそれぞれ案内される。
【００２０】
また、操作レバー本体10をカバー本体30に挿入する際に、ツメ17にはテーパ部分17ａが形成されているのでこれが隙間31を容易に乗り越えてカバー本体30内に入り込むことができるが、一旦入り込むと引っ掛かり部分17ｂが隙間31に係合してロックされた状態となり、操作レバー本体10を強制的に引っ張らない限りこれがカバー本体30からはずれることはない。
【００２１】
ツメ17がカバー本体30に入ると、第２段部15とツメ17との間の隙間部分17ｃに第２段部15を略水平方向に案内している前方ガイド板33が入り込んで操作レバー本体10、噴出用通路部材20およびカバー本体30は一体物となる。
【００２２】
噴出釦機構１を組み立てる手順は、まず噴出用通路部材20をカバー本体30の空間部37に入れてから操作レバー本体10をカバー本体30に挿入しても良い。
【００２３】
組み立てた噴出釦機構１の操作レバー本体10は、その側面13の左右方向をカバー本体30の垂下部32に保持される。また、上下方向を上側外周面部分18と上側縁部36との当接および第１の段部14と後方ガイド板34との当接と、隙間部分17ｃと前方ガイド板33との係合と、さらに第３の段部16と前方段部30ａとの当接によって保持され、操作レバー本体10は操作レバー11の操作時にも略水平方向にしか移動しない。
【００２４】
噴出用通路部材20は、その底面部21がカバー本体の空間部37に入り込んでいるので左右方向をカバー本体30の垂下部32に保持され、また前後方向を前方ガイド板33と後方ガイド板34に保持されるので、空間部37内を略垂直方向にしか移動しない。
【００２５】
さらに、操作レバー11を操作することによって操作レバー本体10が略水平方向に移動すると、第２の段部も前方ガイド板33に案内されて略水平方向に移動し、当接部19が噴出用通路部材20のテーパ面22に確実に当接するので、略水平方向へ移動する操作レバー本体10の力を当接部19からテーパ面22へと伝達して噴出用通路部材20を変形させることなく略垂直方向へ押し下げる。
【００２６】
以下、噴出釦機構１をマウンテンキャップ41を介して挿着したエアゾールタイプ容器の不使用モ−ド及び使用モ−ドにおける動作を説明する。
【００２７】
操作レバーを操作していない非使用モ−ド（図２参照）では、容器内部のバネなど（図示省略）によって上方に付勢されるステム42および噴出用通路部材20が上方向に移動した状態になっている。
【００２８】
ここで操作レバー11を引くと操作レバー本体10は右方向に移動し（図３参照）、当接部19が噴出用通路部材20のテーパ面22に当接する。さらに操作を続けると、操作レバー本体10の当接部19が噴出用通路部材20のテーパ面22を押す。噴出用通路部材20はその底面部21が空間部37に入り込み前方ガイド板33と後方ガイド板34とに案内されて略垂直方向にしか移動できないので、操作レバー11の操作による力を当接部19（操作レバー本体10）からテーパ面22（噴出用通路部材20）に伝達するとともに、操作レバー本体10の向きを略垂直方向に変換して噴出用通路部材20を下方に押すことになる。
【００２９】
ステム42は噴出用通路部材20の下側開口部26に入り込んでいるので、下方に押された噴出用通路部材20はステム42を略垂直方向に押し下げ容器内の弁（図示省略）を開放する。この開放により内容物はステム42から噴出用通路23、噴出口24を通って外部に噴出される。このとき、Ｌ字状の噴出用通路部材20は略垂直方向に下がり前傾したりすることはないので内容物は非使用時に噴出口24が向いていた向きに噴出される。
【００３０】
やがて操作レバー11はカバー本体の前面部分に当接したり、操作レバー本体10のツメ17が前方ガイド板33に当接したりするので、操作レバー11をそれ以上移動することはない。
【００３１】
使用者が操作レバー11を離して操作レバー操作を終了すると、ステム42は容器内部のバネ（図示省略）によって再び上方に付勢され、噴出用通路部材20も押し上げられて前方ガイド板33と後方ガイド板34とに案内されて空間部37内を略垂直方向に上方に移動し、噴出用通路部材20のテーパ面22が操作レバー本体10の当接部19を押すとともにカバー本体30の復帰用片部39が操作レバー本体10の凸部11ａを押して操作レバー本体10を非使用状態の位置に復帰させる。
【００３２】
操作レバー操作によって第１の直線方向に移動する操作レバー本体の動きを連動して噴出用通路部材を第２の直線方向へと移動させるために操作レバー本体と噴出用通路部材に設ける作用部はどのような形でもよく、例えば操作レバー本体にテーパ部分を設け、噴出用通路部材に当接部を設けてもよい。
【００３３】
なお、本発明の噴出釦機構がエアゾールタイプやポンプタイプなどの各種容器に適用できることは勿論である。
【００３４】
【発明の効果】
本発明では、このように、操作レバー本体と噴出用通路部材のそれぞれの対応する部分に第１の直線方向（例えば水平方向）から第２の直線方向（例えば垂直方向）へと連動させるための作用部を形成し、さらにこの連動を確実にするためにカバー本体にガイド部を形成したので、利用者の操作方向と同じ向きに内容物を噴出することができる。
【００３５】
また、カバー本体には操作レバー本体の移動にともなって変形する復帰用弾性片部を形成したので、操作レバーの操作終了時にはこれが操作レバー本体を非使用位置に復帰させるバネの役割を果たすので、操作レバー本体を素早く元の位置に復帰させることができる。
【図面の簡単な説明】
【図１】本発明の、噴射釦機構の各構成要素（操作レバー本体、噴出用通路部材およびカバー本体）を示す斜視図である。
【図２】本発明の、噴射釦機構の操作レバーを引いていない状態（不使用モード）を示す説明図である。
【図３】本発明の、噴出釦機構の操作レバーを引いた状態（使用モード）を示す説明図である。
【図４】従来の、噴出釦機構を示す説明図である。
【符号の説明】
１・・・・・噴出釦機構
10・・・・・操作レバー本体
11・・・・・操作レバー
11ａ・・・・凸部
12・・・・・孔部
13・・・・・操作レバー本体の側面部
14・・・・・第１の段部
15・・・・・第２の段部
16・・・・・第３の段部
17・・・・・ツメ
17ａ・・・・ツメのテーパ部分
17ｂ・・・・ツメの引っ掛かり部分
17ｃ・・・・隙間部分
18・・・・・操作レバー本体の上側部分
19・・・・・当接部
20・・・・・噴出用通路部材
21・・・・・噴出用通路部材の底面部
22・・・・・噴出用通路部材のテーパ面
23・・・・・噴出用通路
24・・・・・噴出口
25・・・・・噴出用通路部材の噴出口側部分
26・・・・・噴出用通路部材の下側開口部
30・・・・・カバー本体
30ａ・・・・前方段部
31・・・・・隙間
32・・・・・カバー本体の垂下部
33・・・・・前方ガイド板
34・・・・・後方ガイド板
36・・・・・カバー本体の上部縁部
37・・・・・空間部
38・・・・・復帰用弾性片部
41・・・・・マウンテンキャップ
42・・・・・ステム
50・・・・・噴出ヘッド
51・・・・・噴出用通路
52・・・・・円状溝部
53・・・・・鞘状のノズル孔部材
54・・・・・ノズル孔
55・・・・・操作レバー
56・・・・・枢支板
57・・・・・枢支軸
58・・・・・カバーキャップ
59・・・・・窓部
60・・・・・支え板
61・・・・・エアゾール弁
62・・・・・缶容器体
【図１】
0003747347.tif 000002
【図２】
0003747347.tif 000003
【図３】
0003747347.tif 000004
【図４】
0003747347.tif 000005